(57)【要約】センサ本体１４と、センサ本体１４に配置され、長さＬ１，Ｌ２にわたり縦軸Ａ方向に延びる係止要素１６，１７を備え、ハウジング１０の凹部１２に係止する係止センサ。係止要素１６，１７はステップ１８，１８’，１９，１９’を有し、少なくとも２つのステップ１８，１８’，１９，１９’は縦軸Ａ方向に互いに離間する。【選択図】図１
2009537793.tif 000002
【特許請求の範囲】
【請求項１】
ハウジング（１０）の凹部（１２）で係止される係止センサであって、
センサ本体（１４）と、
前記センサ本体（１４）に配置された係止要素（１６，１７）と、
から構成され、
前記係止要素は長さ（Ｌ１，Ｌ２）にわたり縦軸（Ａ）の方向に延び、前記係止要素（１６，１７）はステップ（１８，１８’，１９，１９’）を有し、少なくとも２つのステップ（１８，１８’，１９，１９’）は縦軸（Ａ）の方向に互いに離間して配置される
ことを特徴とするセンサ。
【請求項２】
少なくとも２つの前記係止要素（１６，１７）は異なる長さ（Ｌ１，Ｌ２）を有することを特徴とする、
請求項１に記載のセンサ。
【請求項３】
前記係止要素（１６，１７）はそれぞれ少なくとも１つのステップ（１８，１８’，１９，１９’）を有することを特徴とする、
請求項１又は２に記載のセンサ。
【請求項４】
前記係止要素（１６，１７）の少なくとも１つは、縦軸（Ａ）の方向に互いに離間する少なくとも２つのステップ（１８，１８’，１９，１９’）を有することを特徴とする、
請求項１ないし３のうちいずれか１項に記載のセンサ。
【請求項５】
前記係止要素（１６，１７）の少なくとも２つは同じ長さ（Ｌ１，Ｌ２）を有することを特徴とする、
請求項１ないし４のうちいずれか１項に記載のセンサ。
【請求項６】
前記係止要素（１６，１７）は縦軸（Ａ）に対して互いに反対方向に位置することを特徴とする、
請求項１ないし５のうちいずれか１項に記載のセンサ。
【請求項７】
前記係止要素（１６，１７）は、縦軸（Ａ）に対して互いにそれぞれ１２０度離間する角度を有する３つの係止要素（１６，１７）から構成されることを特徴とする、
請求項１ないし６のうちいずれか１項に記載のセンサ。
【請求項８】
前記センサは前記係止要素（１６，１７）の少なくとも２つのグループを有し、第１グループに属する前記係止要素（１６）のそれぞれはステップ（１８，１８’）を有し、前記第１グループの前記係止要素（１６）のステップ（１８，１８’）は第１平面（Ｅ１，Ｅ１’）に位置し、第２グループに属する前記係止要素（１７）のそれぞれはステップ（１９，１９’）を有し、前記第２グループの前記係止要素（１７）のステップ（１９，１９’）は第２平面（Ｅ２，Ｅ２’）に位置し、前記第１平面（Ｅ１，Ｅ１’）は縦軸（Ａ）の方向に前記第２平面（Ｅ２，Ｅ２’）から離れていることを特徴とする、
請求項１ないし７のうちいずれか１項に記載のセンサ。
【請求項９】
前記第１グループの前記係止要素（１６）の数は前記第２グループの前記係止要素（１７）の数と等しく、前記第１グループの前記係止要素（１６）は、縦軸（Ａ）に対して互いに等しい角度を有して離間し、前記第２グループの前記係止要素（１７）は、縦軸（Ａ）に対して互いに等しい角度を有して離間することを特徴とする、
請求項８に記載のセンサ。
【請求項１０】
前記第１グループの前記係止要素（１６）及び前記第２グループの前記係止要素（１７）は、縦軸（Ａ）に対して互いに等しい角度を有して離間することを特徴とする、
請求項８又は９に記載のセンサ。
【請求項１１】
前記係止要素（１６，１７）の外側を少なくとも部分的に囲み、軸方向の力が加えられた場合に弾性的に変形可能なバネ要素（１５）からさらに構成される、
請求項１ないし１０のうちいずれか１項に記載のセンサ。
【請求項１２】
前記係止要素（１６，１７）は前記センサ本体（１４）から離れる終端部分（２２，２３）でＶ字型に作られることを特徴とする、
請求項１ないし１１のうちいずれか１項に記載のセンサ。
【発明の詳細な説明】
【技術分野】
【０００１】
本発明は、ハウジングの凹部に係止される係止センサに関する。
【背景技術】
【０００２】
係止アームがセンサの側面又は一端に配置されているセンサがある。係止アーム及びおそらく他の適当なラッチング装置を用いて、そのようなセンサはハウジングの凹部に挿入され、その位置に係止される。そして係止アームはハウジング内にセンサを確実に固定するように働く。そのようなセンサは例えば温度センサとして設計される。温度センサはセンサ本体の一端で温度感受の検出要素を有し、一方センサ本体の他端には電気接触装置があり、それを用いて、センサから外側に延びる導電体は、検出要素と電気的に接続される。そのような温度センサは、例えば、屋外温度センサとして、定置システム（建物）又は車両のような移動システムにおける暖房、換気、及び空調技術の室内温度センサとして使用され得る。
【発明の概要】
【発明が解決しようとする課題】
【０００３】
そのような係止センサが挿入されるハウジングはしばしば、非常に異なる壁厚さを有するが、ハウジングの凹部へのセンサの固定は確実に及び遊びが無いようにすべきなので、本発明の実施形態は、センサが係止され簡単に及び廉価で製造できるハウジングの壁厚さにおける大きな差異を補償する、ハウジングの凹部に係止する係止センサを作り出す。
【課題を解決するための手段】
【０００４】
これらの問題は特許請求の範囲の独立項に記載された係止センサを用いることによって解決される。本発明の有利な実施形態は従属項に記載される。
【０００５】
本発明の実施形態は、ハウジングの凹部に係止される係止センサを提供する。センサ本体、及びセンサ本体に配置され、縦軸方向の長さにわたって延び、ステップ及び縦軸方向に少なくとも２つのステップを有する係止要素は、互いに離れて配置される。
【０００６】
係止要素はハウジングで凹部を貫通して挿入され、ハウジングを貫通して係止センサはハウジングに係止される。係止要素が延びる方向を形成する縦軸方向において、互いに離れて配置されるステップは、センサが挿入され、補償するためにラッチされるハウジングの壁厚さの差異を許容する。ステップの数及び互いの距離によって、異なるハウジングの壁厚さにおける差異を補償することが可能である。
【０００７】
少なくとも２つの係止要素が異なる長さを有すると有利である。各係止要素が少なくとも１つのステップを有する場合には特に有利である。係止要素を、それぞれが少なくとも１つのステップを有した、異なる長さで作ることによって、係止要素の長さに応じて簡単な方法で、ハウジングの壁厚さの大きな差異も補償することが可能である。
【０００８】
本発明の他の有利な実施形態では、少なくとも１つの係止要素が縦軸方向に互いに離間する、少なくとも２つのステップを有する。このような方法で、ハウジングの壁厚さにおける大きな差異をほんの少数のそのような係止要素で補償することができるので、これは特に有利である。
【０００９】
さらに、少なくとも２つの係止要素が同じ長さを有すると有利である。同じ長さの最低２つの係止要素は、センサを少なくとも２点で、ハウジングの壁に支持することを可能にし、それによって安定的に配置され得る。
【００１０】
２つの係止要素は縦軸に対して互いに反対に位置する場合に特に有利である。縦軸に対して係止要素をそのように対称に配置することによって、ハウジングの壁に係止センサを特に安定に固定することが可能である。
【００１１】
３つの係止要素が、縦軸回りにそれぞれ１２０度離れる場合に特に有利である。係止要素が中心対称に配置されたセンサにおいて、センサのハウジングの壁への特に安定なラッチングが達成され得る。
【００１２】
さらにセンサが少なくとも２つのグループの係止要素を有し、第１グループの各係止要素は第１グループの係止要素のステップがそれぞれ第１平面に位置するステップを有し、第２グループの各係止要素は第２グループの係止要素のステップがそれぞれ第２平面に位置するステップを有し、第１平面は第２平面と縦軸方向において離間されることが好ましい。
【００１３】
第１グループの係止要素の数は第２グループの係止要素の数と等しく、第１グループの係止要素が互いに縦軸に対して同じ角度で離間し、第２グループの係止要素が縦軸に対して互いに同じ角度で離間すると特に有利である。これにより、平面上に互いに対称に配置された係止要素の２つのグループを形成することが可能である。第１平面のステップは第１係止平面を形成し、一方、第２平面のステップはセンサの第２係止平面を形成する。それにより、第１平面及び第２平面の両方において、ハウジングの壁における安定的なセンサのラッチングが達成される。
【００１４】
本発明の他の附加的な好適実施形態において、第１グループの係止要素及び第２グループの係止要素は縦軸に対して互いに等しい角度で離間する。これにより、第１及び／又は第２平面における係止要素の高い対称関係の形成が達成され得る。それにより、ハウジングの壁において特に安定的なセンサのラッチングは、ラッチング要素が異なる平面で相互に干渉することなく達成され得る。
【００１５】
さらに、センサは、軸方向の力が加えられた場合に弾性的に変形可能で、係止要素の外側を部分的に囲む、少なくとも１つのバネ要素を有し得る。このようにして、センサは、様々な壁厚さのハウジングにおいて、係止要素のステップの１つとバネ要素との間に確実にラッチされ得る。
【００１６】
係止要素はセンサ本体から離れる終端部分においてＶ字型に作られることが好ましい。それによって、ハウジングの凹部に係止要素を簡単かつ確実に挿入することが可能である。
【００１７】
本発明の有利な実施形態を、概略図を用いて以下でより詳細に説明する。
【図面の簡単な説明】
【００１８】
【図１】ハウジングの凹部にはめ込まれた係止センサの斜視図を示す。
【図２】図１のＩＩ-ＩＩ’の方向における図１のセンサの図を示す。
【図３】（ａ）及び（ｂ）は、係止センサが挿入される凹部が設けられたハウジングの側面図及び上面図を示す。
【発明を実施するための形態】
【００１９】
類似の構成又は機能の要素は全ての図で同じ番号によって示される。
【００２０】
図１に示された係止センサは凹部１２にはめ込むためのものであり、ハウジング１０においてエッジ１１を有する（図３ａ、図３ｂ）。センサは基底部２０を備えたセンサ本体１４を有し、バネ要素１５及び係止要素１６及び１７が基底部２０の上に配置される。これらの要素は縦軸Ａの方向に伸びる。第１グループの係止要素１６は長さＬ１にわたり縦軸Ａの方向に伸び、一方、第２グループの係止要素１７は長さＬ２にわたり縦軸Ａの方向に伸びる。係止要素１６はセンサ本体１４から離れる終端部分２２を有し、一方、係止要素１７はセンサ本体１４から離れる終端部分２３を有する。終端部分２２及び２３は、Ｖ字型に作られ、斜面を有する。それによって、係止要素１６及び１７は、特に容易にハウジング１０の凹部１２に挿入されることが可能である。
【００２１】
係止要素１６及び１７は、ステップ１８、１８’、１９、１９’を有し、この場合、係止要素１６及び１７のそれぞれは２つのステップと一緒に作られる。係止要素１６及び１７は２つのグループを形成し、第１グループに属する係止要素１６のそれぞれは２つのステップ１８及び１８’を有する。第１グループの係止要素１６のステップ１８は第１平面Ｅ１に位置し、一方第１グループの係止要素１６のステップ１８’は他の第１平面Ｅ１’に位置する。第２グループの係止要素１７のステップ１９は第２平面Ｅ２に位置し、一方、第２グループの係止要素１７のステップ１９’は他の第２平面Ｅ２’に位置する。第１平面Ｅ１及びＥ１’、ならびに第２平面Ｅ２及びＥ２’は縦軸Ａの方向に互いに分離しているので、Ｅ１，Ｅ１’、Ｅ２、及びＥ２’の全部で４つ形成された平面があり、そこでハウジング１０にセンサが係止される。
【００２２】
図２に見られるように、第１グループの３つの係止要素１６は、ここに示される実施例において、縦軸Ａに対して等しい角度で互いに離れるように配置され、第２グループの３つの係止要素１７は、縦軸Ａに対して等しい角度で互いに離れるように配置される。この角度分離は２つのグループそれぞれの場合において１２０度である。ここで、第２グループの３つの係止要素１７は、第１グループの３つの係止要素１６が形成する隙間に配置される。さらに、第１グループの係止要素１６又は第２グループの係止要素１７は、縦軸Ａ周りの半径方向に等間隔を有するので、係止センサとハウジング１０との間の特に安定な連結を可能とする、係止要素１６及び１７の著しく安定な中心対称な配置をもたらす。
【００２３】
図２に見られるようにバネ要素１５は、縦軸Ａに対して半径方向に延びる３つのバネ要素突出部を有し、半径方向に等間隔で設けられた１５ａ、１５ｂ及び１５ｃがあり、それらは縦軸Ａに対して互いに１２０の角度に保って配置されている。この配置は、係止要素１６及び１７の関連するステップ１８、１８’、１９及び１９’とバネ要素１５が相互作用することによって、センサをハウジング１０における凹部１２に確実に固定することを可能にする。
【００２４】
係止センサのハウジング１０への挿入及びその機能を以下に簡潔に説明する。
【００２５】
センサがハウジング１０の凹部１２に挿入される場合、係止要素１６及び１７は縦軸Ａの方向へ凹部１２に押し込まれる。係止要素１６及び１７の端部２２及び２３は、挿入動作の最初に凹部１２のエッジ１１に接触して位置し、係止要素１６及び１７は、平面Ｅ２’のステップ１９’がエッジ１１を超えて半径方向外側に弾性的に跳ね返るくらい十分深く凹部１２に挿入されるまで、縦軸Ａに向かう方向に係止腕部１６及び１７の端部２２及び２３のＶ字型構造によって半径方向内側に向かって移動する。係止要素１６及び１７を凹部１２に縦軸Ａの方向へ挿入する間、バネ要素突出部１５ａ、１５ｂ及び１５ｃも縦軸Ａの方向に変形される。図３ａに示すようにハウジング１０の壁が厚さＤの場合、センサは、凹部１２及び平面Ｅ２’のステップ１９’にさらに挿入され得、バネ要素突出部１５ａ、１５ｂ及び１５ｃと結合して、ハウジング１０における係止センサのラッチングをもたらす。
【００２６】
ハウジング１０の壁の厚さＤが図３ａに示されるよりも小さい場合、係止センサは、ハウジング１０の凹部１２にさらに押し込まれ得る。ハウジング１０の壁の厚さＤが、例えば、図３ａの壁の厚さＤの半分の場合、係止センサは、エッジ１１が係止要素１６の平面Ｅ１’のステップ１８’と接触が可能となるまで、凹部１２に押し込まれ得る。係止要素１６の平面Ｅ１’のステップ１８’とバネ要素突出部１５ａ、１５ｂ及び１５ｃとの接触によって、ハウジング１０におけるセンサの確実なラッチングが達成される。
【００２７】
ハウジング１０の壁の厚さＤが、例えば、図３ａのハウジングの壁の厚さＤの１０分の１よりもさらに小さい場合、係止要素１６及び１７は、エッジ１１が係止要素１６の平面Ｅ１のステップ１８と接触が可能となるまで、ハウジング１０の凹部１２に押し込まれ得るので、係止要素１６の平面Ｅ１のステップ１８及びバネ要素突出部１５ａ、１５ｂ及び１５ｃは協働してハウジング１０のセンサの確実なラッチングを可能にする。
【符号の説明】
【００２８】
１０  ハウジング
１１  エッジ
１２  凹部
１４  センサ本体
１５  バネ要素
１５ａ，１５ｂ，１５ｃ  バネ要素突出部
１６，１７  係止要素
１８，１８’，１９，１９’  ステップ
２０  センサ本体の基底部
２２，２３  係止要素の終端部分
Ａ  縦軸
Ｄ  壁厚さ
Ｌ１，Ｌ２  第１、第２の係止要素の長さ
Ｅ１，Ｅ１’，Ｅ２，Ｅ２’  第１、第２の平面
【図１】
2009537793.tif 000003
【図２】
2009537793.tif 000004
【図３ａ】
2009537793.tif 000005
【図３ｂ】
2009537793.tif 000006
【国際調査報告】
2009537793.tif 000007
2009537793.tif 000008
2009537793.tif 000009
2009537793.tif 000010
2009537793.tif 000011
2009537793.tif 000012